(57)【特許請求の範囲】
【請求項１】
板状の基材の表面に化粧シートが接着されて積層一体化されたシート化粧板材を連続的に製造するシート化粧板材の製造装置であって、
複数の上記基材を所定の間隔で後側から前側へ搬送する搬送部と、
上記搬送部によって順次搬送される上記複数の基材の表面に亘り、裏面に水系接着剤が塗布された上記化粧シートを貼り付ける貼付ロールと、該貼付ロールの前側に設けられ、上記搬送部によって順次搬送される上記複数の基材を上記化粧シートの上方から押圧する押圧ロールとを有し、上記複数の基材の表面に亘って上記化粧シートを接着するシート接着部と、
上記搬送部による上記基材の搬送速度と等しい速度で後側から前側へ移動しながら隣接する２枚の上記基材間において上記化粧シートを前後に切断するシート切断部とを備え、
上記貼付ロールと上記押圧ロールとの間には、上記搬送部によって順次搬送される上記複数の基材を上記化粧シートの上方から押さえ付ける押さえ部材が設けられ、
上記押さえ部材は、上記化粧シートの幅方向に延びる板状部材と、該板状部材の下端面に取り付けられ、上記化粧シートと非気密状態で当接する緩衝部材とを有している
ことを特徴とするシート化粧板材の製造装置。
【請求項２】
請求項１に記載のシート化粧板材の製造装置において、
上記押さえ部材は、上記化粧シートの幅方向において該化粧シートの幅よりも長い長さに形成され、上記搬送部によって順次搬送される上記複数の基材を、幅方向の一端から他端まで一体的に押さえ付けるように構成されている
ことを特徴とするシート化粧板材の製造装置。
【請求項３】
請求項２に記載のシート化粧板材の製造装置において、
上記押さえ部材は、上記貼付ロールと上記押圧ロールとの間に、前後に並ぶように２つ設けられ、
上記２つの押さえ部材のうちの後側の第１押さえ部材は、後端が、前後方向において、上記貼付ロールの中心軸と前端との間に位置づけられるように設けられ、
上記２つの押さえ部材のうちの前側の第２押さえ部材は、前端が、前後方向において、上記押圧ロールの中心軸と後端との間に位置づけられるように設けられ、
上記第１押さえ部材と上記第２押さえ部材とは、前後方向における互いの離間距離が、前後に隣接する２枚の上記基材間の距離よりも短くなるように設けられている
ことを特徴とするシート化粧板材の製造装置。
【請求項４】
請求項３に記載のシート化粧板材の製造装置において、
上記貼付ロールと上記押圧ロールとは、設置高さを変更可能に構成され、
上記第１押さえ部材は、上記貼付ロールの設置高さの変更に連動して設置高さが変更されるように上記貼付ロールに連結され、
上記第２押さえ部材は、上記押圧ロールの設置高さの変更に連動して設置高さが変更されるように上記押圧ロールに連結されている
ことを特徴とするシート化粧板材の製造装置。
【請求項５】
請求項２に記載のシート化粧板材の製造装置において、
上記押さえ部材は、前後方向において上記貼付ロールと上記押圧ロールの離間距離よりも長い長さに形成され、前後方向において、後端が上記貼付ロールの中心軸と前端との間に位置づけられ、前端が上記押圧ロールの中心軸と後端との間に位置づけられるように設けられている
ことを特徴とするシート化粧板材の製造装置。
【請求項６】
請求項２に記載のシート化粧板材の製造装置において、
上記押さえ部材は、上記押圧ロールの前側にも設けられ、
上記押圧ロールの前側に設けられた上記押さえ部材は、後端が、前後方向において、上記押圧ロールの中心軸と前端との間に位置づけられるように設けられている
ことを特徴とするシート化粧板材の製造装置。
【請求項７】
請求項１乃至６のいずれか１つに記載のシート化粧板材の製造装置において、
上記押さえ部材は、後端部が、前後方向の後方に向かう程、上方に位置する形状に形成されている
ことを特徴とするシート化粧板材の製造装置。
【請求項８】
請求項１乃至７のいずれか１つに記載のシート化粧板材の製造装置において、
上記緩衝部材は、連続気泡の発泡体、不織布またはフェルトによって形成されている
ことを特徴とするシート化粧板材の製造装置。
【請求項９】
請求項１乃至８のいずれか１つに記載のシート化粧板材の製造装置において、
上記シート切断部が上記化粧シートを切断する際に、該化粧シートの切断部分よりも前側の上記基材の後端部を上記化粧シートの上から押圧する前側押圧部材と、上記シート切断部が上記化粧シートを切断する際に、上記化粧シートの切断部分よりも後側の上記基材の前端部を上記化粧シートの上から押圧する後側押圧部材とを有するシート押圧部とを備えている
ことを特徴とするシート化粧板材の製造装置。
【請求項１０】
請求項９に記載のシート化粧板材の製造装置において、
上記シート押圧部は、
上記シート切断部が上記化粧シートを切断する際に、上記前側押圧部材及び上記後側押圧部材が、それぞれ上記前側の基材の後端部及び上記後側の基材の前端部を押圧可能な位置に配置されるように、上記前側押圧部材及び上記後側押圧部材を前後方向に移動させる移動機構と、
上記前側押圧部材及び上記後側押圧部材が上記化粧シートに当接しない上方位置と、上記前側押圧部材及び上記後側押圧部材が上記基材を上記化粧シートの上から押圧する下方位置との間において、上記前側押圧部材及び上記後側押圧部材を上下動させる昇降機構とを有し、
上記昇降機構は、上記シート切断部が上記化粧シートを切断する際には、上記前側押圧部材及び上記後側押圧部材を上記下方位置に移動させ、上記移動機構によって上記前側押圧部材及び上記後側押圧部材が後退する際には、上記前側押圧部材及び上記後側押圧部材を上記上方位置に移動させるように構成されている
ことを特徴とするシート化粧板材の製造装置。
【請求項１１】
請求項１０に記載のシート化粧板材の製造装置において、
上記複数の基材の下方に設けられ、上記シート切断部が上記化粧シートを切断する際に、上記前側の基材の後端部及び上記後側の基材の前端部を下方から支持する支持部材を備えている
ことを特徴とするシート化粧板材の製造装置。
【発明の詳細な説明】
【技術分野】
【０００１】
本発明は、複数の基材の表面に連続的に化粧シートを接着するシート化粧板材の製造装置に関するものである。
【背景技術】
【０００２】
従来、床材等に用いられるシート化粧板材の製造に、複数の板状基材の表面に連続的に化粧シートを接着するシート化粧板材の製造装置が用いられている。従来の製造装置では、所定の方向に連続的に搬送される複数の基材の表面に、裏面に接着剤が塗布された長尺の化粧シートを貼り付けた後、基材間において長尺の化粧シートを切断して化粧シートを基材毎に個片化することによってシート化粧板材を連続的に製造している（例えば、下記の特許文献１を参照）。
【先行技術文献】
【特許文献】
【０００３】
【特許文献１】特開２０１１−８８３５９号公報
【発明の概要】
【発明が解決しようとする課題】
【０００４】
ところで、上述のシート化粧板材の製造装置の中には、水系接着剤を用いるものがある。水系接着剤を用いると、シート化粧板材を安価に製造することができるものの、基材が接着剤の水分を吸収するため、基材が反り易い。また、水系接着剤は、ホットメルト接着剤が塗布後、冷えると化粧シートが剥がれない程度の初期接着強度が発現するのに比べて接着力が発現するまでに時間がかかる。
【０００５】
そのため、化粧シートの貼り付けに水系接着剤を用いる場合、接着剤が乾く前に基材に反りが生じて化粧シートが剥がれるおそれがある。水系接着剤で接着した化粧シートは、一旦剥がれ、剥がれたまま表面が乾燥してしまうと、基材に押し付けても接着できない。そのため、木質基材のように水系接着剤の水分を吸収して反りが発生するような基材に対して水系接着剤を用いると、接着不良のシート化粧板材が製造されるおそれがある。特に、化粧シートの貼り付け直後は、接着剤の接着力が弱いため、基材の反りによって化粧シートが剥がれるおそれが高い。そして、化粧シートを基材に貼り付ける貼付ロールと基材を化粧シートの上から押圧する押圧ロールとの間において、基材の前後の端部が浮き上がるように基材が反ると、基材の前後方向の中央部分で化粧シートが剥がれて基材から浮き上がる。このような基材が押圧ロールで押圧されると、基材の反りが補正されて化粧シートが基材に押し付けられるものの、基材の反りが抑制される際に、基材の前後の端部が化粧シートの裏面に擦れて接着剤が刮ぎ取られ、押圧ロールで押圧しても化粧シートが基材に密着せず、剥がれるおそれが高くなる。
【０００６】
本発明は、かかる点に鑑みてなされたものであり、その目的は、化粧シートの剥がれのないシート化粧板材を製造することにある。
【課題を解決するための手段】
【０００７】
上記の目的を達成するために、この発明では、貼付ロールと押圧ロールとの間において、基材を押さえ部材で化粧シートの上方から下向きに押さえ付けるようにした。
【０００８】
具体的には、第１の発明は、基材の表面に化粧シートが接着されて積層一体化されたシート化粧板材を連続的に製造するシート化粧板材の製造装置であって、複数の上記基材を所定の間隔で後側から前側へ搬送する搬送部と、上記搬送部によって順次搬送される上記複数の基材の表面に亘り、裏面に水系接着剤が塗布された上記化粧シートを貼り付ける貼付ロールと、上記搬送部によって順次搬送される上記複数の基材を上記化粧シートの上方から押圧する押圧ロールとを有し、上記複数の基材の表面に亘って上記化粧シートを接着するシート接着部と、上記搬送部による上記基材の搬送速度と等しい速度で後側から前側へ移動しながら隣接する２枚の上記基材間において上記化粧シートを前後に切断するシート切断部とを備え、上記貼付ロールと上記押圧ロールとの間には、上記搬送部によって順次搬送される上記複数の基材を上記化粧シートの上方から押さえ付ける押さえ部材が設けられていることを特徴とするものである。
【０００９】
第１の発明では、貼付ロールと押圧ロールとの間に、搬送部によって順次搬送される複数の基材を化粧シートの上方から押さえ付ける押さえ部材が設けられている。そのため、搬送部によって順次搬送される複数の基材は、貼付ロールと押圧ロールとの間において、押さえ部材によって化粧シートの上方から押さえ付けられる。これにより、第１の発明によれば、貼付ロールと押圧ロールとの間における基材の反りを抑制することができるため、基材の反りに起因する化粧シートの剥がれを抑制することができる。従って、第１の発明によれば、化粧シートの剥がれのないシート化粧板材を製造することができる。
【００１０】
また、第１の発明は、上記構成において、上記押さえ部材は、上記化粧シートの幅方向に延びる板状部材と、該板状部材の下端面に取り付けられ、上記化粧シートと非気密状態で当接する緩衝部材とを有していることを特徴とするものである。
【００１１】
ところで、硬度が高い材料で構成された押さえ部材を用いると、押さえ部材によって化粧シートに線状又は面状の押さ付けた跡が残ったり、化粧シートがよれたりするおそれがある。また、押さえ部材が化粧シートと気密状態で当接する部材で構成されていると、押さえ部材が化粧シートに密着して化粧シートを剥がしてしまうおそれがある。
【００１２】
第１の発明では、押さえ部材が、板状部材と該板状部材の下端面に取り付けられた緩衝部材とで構成されている。このように押さえ部材の下部を緩衝部材で構成することにより、押さえ部材によって化粧シートに線状又は面状の押さ付けた跡が残ったり、化粧シートがよれたりしない。また、第１の発明では、緩衝部材は、化粧シートと非気密状態で当接する部材で構成されている。そのため、押さえ部材が化粧シートに密着せず、化粧シートが剥がれることがない。従って、第１の発明によれば、化粧シートに押さ付けた跡やよれを生じさせることなく、また、化粧シートを剥がれさせることなく基材に押し付けることができる。
【００１３】
第２の発明は、第１の発明において、上記押さえ部材は、上記化粧シートの幅方向において該化粧シートの幅よりも長い長さに形成され、上記搬送部によって順次搬送される上記複数の基材を、幅方向の一端から他端まで一体的に押さえ付けるように構成されていることを特徴とするものである。
【００１４】
第２の発明では、化粧シートの貼り付け直後に、押さえ部材によって基材が幅方向の一端から他端まで一体的に押さえ付けられることにより、部分的に押さえ付けられる場合に比べて、基材の反りをより抑制することができるため、化粧シートの剥がれをより抑制することができる。
【００１５】
第３の発明は、第２の発明において、上記押さえ部材は、上記貼付ロールと上記押圧ロールとの間に、前後に並ぶように２つ設けられ、上記２つの押さえ部材のうちの後側の第１押さえ部材は、後端が、前後方向において、上記貼付ロールの中心軸と前端との間に位置づけられるように設けられ、上記２つの押さえ部材のうちの前側の第２押さえ部材は、前端が、前後方向において、上記押圧ロールの中心軸と後端との間に位置づけられるように設けられ、上記第１押さえ部材と上記第２押さえ部材とは、前後方向における互いの離間距離が、前後に隣接する２枚の上記基材間の距離よりも短くなるように設けられていることを特徴とするものである。
【００１６】
第３の発明では、貼付ロールと押圧ロールとの間に、基材を化粧シートの上方から押さえ付ける押さえ部材が２つ設けられている。また、２つの押さえ部材は、互いの離間距離が基材間隔よりも短くなるように近接して設けられている。また、後側の第１押さえ部材は、後端が貼付ロールの前半部分と上下方向に重なる程、貼付ロールに近接して設けられ、前側の第２押さえ部材は、前端が押圧ロールの後半部分と上下方向に重なる程、押圧ロールに近接して設けられている。２つの押さえ部材をこのように設けることにより、搬送部によって順次搬送される複数の基材は、貼付ロールによって表面に化粧シートが貼り付けられた直後から押圧ロールによって押圧される直前までの間のほぼずっと、第１押さえ部材と第２押さえ部材とによって化粧シートの上方から押さえ付けられることとなる。このような構成によれば、基材の反りをより抑制することができるため、化粧シートの剥がれをより抑制することができる。
【００１７】
第４の発明は、第３の発明において、上記貼付ロールと上記押圧ロールとは、設置高さを変更可能に構成され、上記第１押さえ部材は、上記貼付ロールの設置高さの変更に連動して設置高さが変更されるように上記貼付ロールに連結され、上記第２押さえ部材は、上記押圧ロールの設置高さの変更に連動して設置高さが変更されるように上記押圧ロールに連結されていることを特徴とするものである。
【００１８】
第４の発明では、貼付ロールと押圧ロールが、設置高さを変更可能に構成されると共に、貼付ロールの設置高さを変更すると第１押さえ部材の設置高さが自動的に変更され、押圧ロールの設置高さを変更すると第２押さえ部材の設置高さが自動的に変更されるように構成されている。このような構成により、基材の厚さに応じて貼付ロールと押圧ロールの高さを調整するだけで、自動的に第１押さえ部材と第２押さえ部材の設置高さが基材の厚さに応じた高さになる。従って、第４の発明によれば、容易に第１及び第２押さえ部材の高さを基材の厚さに応じた高さに変更することができる。
【００１９】
第５の発明は、第２の発明において、上記押さえ部材は、前後方向において上記貼付ロールと上記押圧ロールの離間距離よりも長い長さに形成され、前後方向において、後端が上記貼付ロールの中心軸と前端との間に位置づけられ、前端が上記押圧ロールの中心軸と後端との間に位置づけられるように設けられていることを特徴とするものである。
【００２０】
第５の発明では、貼付ロールと押圧ロールとの間に設けられた押さえ部材が、前後方向において２つのロールの離間距離よりも長い長さに形成されている。また、押さえ部材は、後端が貼付ロールの前半部分と上下方向に重なる程、貼付ロールに近接して設けられると共に、前端が押圧ロールの後半部分と上下方向に重なる程、押圧ロールに近接して設けられている。貼付ロールと押圧ロールとの間に設けられた押さえ部材をこのように構成することにより、搬送部によって順次搬送される複数の基材は、貼付ロールによって表面に化粧シートが貼り付けられた直後から押圧ロールによって押圧される直前までの間、絶え間なく押さえ部材によって化粧シートの上方から押さえ付けられることとなる。このような構成によれば、基材の反りをより抑制することができるため、化粧シート５２の剥がれをより確実に抑制することができる。
【００２１】
第６の発明は、第２の発明において、上記押さえ部材は、上記押圧ロールの前側にも設けられ、上記押圧ロールの前側に設けられた上記押さえ部材は、後端が、前後方向において、上記押圧ロールの中心軸と前端との間に位置づけられるように設けられていることを特徴とするものである。
【００２２】
第６の発明では、搬送部によって順次搬送される複数の基材を化粧シートの上方から押さえ付ける押さえ部材が、押圧ロールの前側にも設けられている。また、押さえ部材は、後端が押圧ロールの前半部分と上下方向に重なる程、押圧ロールに近接して設けられている。そのため、第６の発明によれば、押圧ロール通過後も、押さえ部材によって基材が押さえ付けられて反り難くなるため、各基材における化粧シートの剥がれをより抑制することができる。
【００２３】
第７の発明は、第１乃至第６のいずれか１つの発明において、上記押さえ部材は、後端部が、前後方向の後方に向かう程、上方に位置する形状に形成されていることを特徴とするものである。
【００２４】
ところで、複数の基材は、搬送部によって順次後側から前側へ搬送されるのに対し、化粧シートを基材に押し付ける押さえ部材は、前後方向に移動しない。そのため、押さえ部材の後端部の形状によっては、化粧シートに当接する押さえ部材の後端の角部によって化粧シートがよれて剥がれるおそれがある。
【００２５】
これに対し、第７の発明では、押さえ部材は、後端部が、前後方向の後方に向かう程、上方に位置する形状に形成されているため、押さえ部材の後端の角部が化粧シートに当接しない。よって、基材の表面に貼り付けられた化粧シートは、押さえ部材の後端の角部によってよれることなく、円滑に押さえ部材の下方に送られて基材に押し付けられることとなる。従って、第７の発明によれば、押さえ部材を設けることによる化粧シートのよれを防止することができる。
【００２６】
第８の発明は、第１乃至第７のいずれか１つの発明において、上記緩衝部材は、連続気泡の発泡体、不織布またはフェルトによって形成されていることを特徴とするものである。
【００２７】
第８の発明では、化粧シートと非気密状態で当接する緩衝部材を容易に構成することができる。
【００２８】
第９の発明は、第１乃至第８のいずれか１つの発明において、上記シート切断部が上記化粧シートを切断する際に、該化粧シートの切断部分よりも前側の上記基材の後端部を上記化粧シートの上から押圧する前側押圧部材と、上記シート切断部が上記化粧シートを切断する際に、上記化粧シートの切断部分よりも後側の上記基材の前端部を上記化粧シートの上から押圧する後側押圧部材とを有するシート押圧部とを備えていることを特徴とするものである。
【００２９】
ところで、化粧シートの切断時には、化粧シートに刃による圧力が作用するため、各基材の端部において化粧シートが剥がれ易くなる。
【００３０】
第９の発明では、シート接着部において複数の基材の表面に亘って化粧シートが接着された後、シート切断部によって隣接する２枚の基材間において化粧シートを切断する際に、化粧シートの切断部分の前後の部分が、シート押圧部の前側押圧部材と後側押圧部材とによって基材に押圧される。そのため、各基材の端部において化粧シートが剥がれるおそれの高い化粧シートの切断時に、化粧シートが剥がれ難くなる。従って、第９の発明によれば、化粧シートが基材から剥がれるおそれの高い化粧シートの切断時においても、化粧シートの剥がれを抑制することができる。
【００３１】
第１０の発明は、第９の発明において、上記シート押圧部は、上記シート切断部が上記化粧シートを切断する際に、上記前側押圧部材及び上記後側押圧部材が、それぞれ上記前側の基材の後端部及び上記後側の基材の前端部を押圧可能な位置に配置されるように、上記前側押圧部材及び上記後側押圧部材を前後方向に移動させる移動機構と、上記前側押圧部材及び上記後側押圧部材が上記化粧シートに当接しない上方位置と、上記前側押圧部材及び上記後側押圧部材が上記基材を上記化粧シートの上から押圧する下方位置との間において、上記前側押圧部材及び上記後側押圧部材を上下動させる昇降機構とを有し、上記昇降機構は、上記シート切断部が上記化粧シートを切断する際には、上記前側押圧部材及び上記後側押圧部材を上記下方位置に移動させ、上記移動機構によって上記前側押圧部材及び上記後側押圧部材が後退する際には、上記前側押圧部材及び上記後側押圧部材を上記上方位置に移動させるように構成されていることを特徴とするものである。
【００３２】
第１０の発明では、前側押圧部材及び後側押圧部材は、搬送部による基材の搬送に合わせて移動機構によって前後方向に移動させられ、隣接する各２枚の基材間において化粧シートを切断する際に、前側の基材の後端部及び後側の基材の前端部を押圧可能な位置に配置される。そのため、化粧シートの切断後、前側押圧部材及び後側押圧部材は、基材の搬送方向と逆方向に移動して次の基材間に移動することとなる。その際、前側押圧部材及び後側押圧部材は、昇降機構によって上方位置に移動させられ、化粧シートに当接しない。よって、第１０の発明によれば、前側押圧部材及び後側押圧部材が、基材の搬送方向と逆方向に移動（後退）する際に、化粧シートが剥がれるのを抑制することができる。
【００３３】
第１１の発明は、第１０の発明において、上記複数の基材の下方に設けられ、上記シート切断部が上記化粧シートを切断する際に、上記前側の基材の後端部及び上記後側の基材の前端部を下方から支持する支持部材を備えていることを特徴とするものである。
【００３４】
第１１の発明では、前側押圧部材及び後側押圧部材が、化粧シートを前側の基材の後端部及び後側の基材の前端部に押圧する際に、前側の基材の後端部及び後側の基材の前端部を下方から支持する支持部材が設けられている。そのため、例えば、基材がベルトコンベア等で搬送される場合であっても、前側押圧部材及び後側押圧部材が化粧シートを基材に押圧する際に、基材が沈み込むことなく、支持部材によって下方から支持されることとなる。よって、第１１の発明によれば、化粧シートを確実に基材に押し付けることができる。
【発明の効果】
【００３５】
以上説明したように、本発明のシート化粧板材の製造装置によると、貼付ロールと押圧ロールとの間において、基材を押さえ部材で化粧シートの上方から下向きに押さえ付けるようにしたため、製造されるシート化粧板材の化粧シートの剥がれを抑制することができる。
【図面の簡単な説明】
【００３６】
【図１】図１は、実施形態１に係るシート化粧板材の製造装置の概略構成図である。
【図２】図２は、図１のシート接着ユニットの一部分を拡大して示す斜視図である。
【図３】図３は、図１の部分拡大図である。
【図４】図４は、図１のシート切断ユニット付近を拡大して示す斜視図である。
【図５】図５は、図１の搬送ユニット及びシート切断ユニットの基材支持部を示す平面図である。
【図６】図６は、図５のVI−VI線断面図である。
【図７】図７は、本発明の実施形態１に係るシート化粧板材の製造方法におけるシート切断工程時の動作を説明するための動作図である。
【図８】図８は、実施形態２に係るシート化粧板材の製造装置の図３相当図である。
【図９】図９は、実施形態３に係るシート化粧板材の製造装置の概略構成図である。
【発明を実施するための形態】
【００３７】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００３８】
《発明の実施形態１》
図１は、本発明の実施形態１に係るシート化粧板材の製造装置１を示している。製造装置１は、長方形状の板状の基材５１と、基材５１の表面５１ａ（化粧面）に化粧シート５２が接着されて積層一体化されたシート化粧板材５０を連続的に製造するものである。
【００３９】
シート化粧板材５０は、基材５１の表面５１ａに接着剤５３を介して化粧シート５２が接着されたものであり、床材等に用いられる。
【００４０】
基材５１は、例えば、ＬＶＬ（Laminated Veneer Lumber：単板積層材）、合板、集成材、無垢材、パーティクルボード、繊維板等の木質材料により構成されている。なお、基材５１としては、吸水性を有していれば、例えば、火山性ガラス質複層板、ケイ酸カルシウム板、石膏ボード等の無機質材料によって構成された板材であってもよい。
【００４１】
化粧シート５２は、樹脂製であり、例えば、厚さ０．１ｍｍ〜０．４ｍｍ程度のオレフィン樹脂、ＰＥＴ（polyethylene terephthalate）樹脂、塩化ビニル樹脂等の水分を殆ど含まない樹脂フィルムにより形成されている。なお、化粧シート５２としては、樹脂シートの他に、コート紙、樹脂含浸紙等の化粧紙、不織布、織布、木質薄化粧突き板、畳表等の薄いシート材であってもよい。また、化粧シート５２の厚さとしては、後述する長尺の化粧シート５２を巻き出す巻出ロール２２との兼ね合いで決定すればよく、紙であれば、例えば０．０５ｍｍ〜０．３ｍｍ程度のもの、樹脂シートであれば、例えば、０．１５ｍｍ〜０．３ｍｍ程度のものが好適に用いられる。なお、化粧シート５２には、例えば、木目、石目、抽象柄等が印刷されている。
【００４２】
接着剤５３としては、例えば、酢酸ビニル系、水性ビニルウレタン系、アクリル系、イソシアネート系、ユリア系、エチレン酢酸ビニル共重合体系、ポリビニルアルコール系等の水系接着剤５３を乾燥させて構成されている。ここで、接着剤５３には、必要に応じて、例えば、イソシアネート系やメラミン系等の硬化剤を添加してもよい。
【００４３】
−製造装置の構成−
図１に示すように、製造装置１は、搬送ユニット１０と、シート接着ユニット２０と、シート切断ユニット３０とを備えている。
【００４４】
〔搬送ユニット〕
図１〜図４に示すように、搬送ユニット１０は、複数のベルト１１と、複数のベルト１１を駆動する複数の駆動ローラ１２，…，１２とを有している。駆動ローラ１２，…，１２は、図示しない駆動装置によって回転駆動される。ベルト１１は、シート切断ユニット３０の可動領域では、基材５１の幅よりも狭いベルトで構成され、基材５１の幅方向に３本平行に設けられ、その他の領域では、基材５１の幅よりも広い１本のベルトで構成されている。各ベルト１１は、２つの駆動ローラ１２，１２に巻きかけられている。各ベルト１１は、２つの駆動ローラ１２，…，１２の回転によって、２つの駆動ローラ１２，１２の上方と下方とにおいて逆向きに送られ、複数の基材５１を所定の方向（図１では右方向）に搬送する。
【００４５】
〔シート接着ユニット〕
シート接着ユニット２０は、化粧シート５２の裏面に接着剤５３を塗布するダイコーター２１と、ダイコーター２１に長尺の化粧シート５２を供給する巻出ロール２２と、搬送ユニット１０によって搬送中の基材５１の表面５１ａに、化粧シート５２の裏面に接着剤５３が塗布された部分を貼り付ける貼付ロール（貼付ロール）２３と、基材５１の表面５１ａに貼り付けた化粧シート５２を押圧する押圧ロール（押圧ロール）２４と、膜厚計２５と、第１〜第３押さえ部材２６〜２８とを備えている。
【００４６】
ダイコーター２１は、図１に示すように、Ｔダイ２１ａと、Ｔダイ２１ａに接続配管を介して接続された接着剤５３を貯留するタンク２１ｂと、接続配管の経路中にＴダイ２１ａ側から順に設けられたフィルター２１ｃ及びポンプ２１ｄと、Ｔダイ２１ａの図中下側に設けられたバックアップロール２１ｅとを備えている。
【００４７】
Ｔダイ２１ａは、図１に示すように、タンク２１ｂから供給された水系接着剤５３を、例えば、０．３ｍｍ程度の幅の細長い隙間から定量的に吐出するものである。Ｔダイ２１ａは、水系接着剤５３がバックアップロール２１ｅ側に吐出されるように設けられている。
【００４８】
フィルター２１ｃは、例えば、スチール製の金網等の網目状部材により構成され、Ｔダイ２１ａの隙間よりも小さい目（例えば、１００メッシュ程度）を有している。ここで、１００メッシュのフィルター２１ｃは、例えば、その線径が０．１１ｍｍの場合、その目開きの大きさが０．１４４ｍｍであり、その線径が０．１０ｍｍの場合、その目開きの大きさは、０．１５４ｍｍである。
【００４９】
ポンプ２１ｄは、容積式のポンプによって構成され、タンク２１ｂに貯留された接着剤５３を加圧してＴダイ２１ａに送り出すように設けられている。
【００５０】
バックアップロール２１ｅは、図示しない駆動装置によって回転駆動されることにより、巻出ロール２２から供給された化粧シート５２を貼付ロール２３に搬送するものである。バックアップロール２１ｅは、搬送する化粧シート５２の裏面にＴダイ２１ａからの接着剤５３が塗布されるように設けられている。
【００５１】
巻出ロール２２は、図示しない駆動装置によって回転駆動されることにより、ロール状に巻かれた長尺の化粧シート５２を繰り出すものである。巻出ロール２２は、繰り出した化粧シート５２がダイコーター２１のバックアップロール２１ｅの周面に供給されるように設けられている。
【００５２】
貼付ロール２３は、図示しない駆動装置によって回転駆動されることにより、バックアップロール２１ｅから送られてくる化粧シート５２の接着剤５３が塗布された裏面を、搬送ユニット１０によって順次搬送される基材５１の表面５１ａに貼り付けるものである。貼付ロール２３は、外周面の一部に化粧シート５２が巻き掛けられ、下端で巻き掛けられた化粧シート５２を基材５１の表面５１ａに当接させることにより、基材５１の表面５１ａに貼り付けられるように設けられている。貼付ロール２３は、設置高さが変更可能に構成され、基材５１の厚さに応じて化粧シート５２を基材５１の表面５１ａに貼り付けることができる設置高さに変更される。
【００５３】
押圧ロール２４は、図示しない駆動装置によって回転駆動されることにより、貼付ロール２３において表面５１ａに化粧シート５２が貼り付けられた基材５１を、化粧シート５２の上方から押圧するものである。押圧ロール２４は、貼付ロール２３の前側に設けられ、下端が順次搬送される基材５１に貼り付けられた化粧シート５２に当接して下向きに押圧するように設けられている。押圧ロール２４は、設置高さが変更可能に構成され、基材５１の厚さに応じて化粧シート５２を基材５１に押し付けられる設置高さに変更される。
【００５４】
図１〜３に示すように、第１〜第３押さえ部材２６〜２８は、基材５１の反りを抑制すべく、搬送ユニット１０によって順次搬送される基材５１を、化粧シート５２の上方から押さえ付けるものである。第１及び第２押さえ部材２６，２７は、貼付ロール２３と押圧ロール２４との間に設けられ、第３押さえ部材２８は、押圧ロール２４の前側に設けられている。
【００５５】
第１押さえ部材２６は、貼付ロール２３と押圧ロール２４との間において、貼付ロール２３側に設けられ、貼付ロール２３で表面５１ａに化粧シート５２が貼り付けられた直後の基材５１を、化粧シート５２の上方から押さえ付けるように構成されている。本実施形態１では、第１押さえ部材２６は、貼付ロール２３の設置高さの変更に伴って設置高さが変更されるように、図示しない連結部材を介して貼付ロール２３に連結されている。第１押さえ部材２６は、下端が、貼付ロール２３の下端と略同じ高さに位置付けられるように貼付ロール２３に連結されている。
【００５６】
第１押さえ部材２６は、板状部材２６ａと、該板状部材２６ａの下端面に取り付けられた緩衝部材２６ｂとを有している。板状部材２６ａは、化粧シート５２の幅方向に長い金属板によって構成されている。板状部材２６ａは、化粧シート５２の幅方向において、化粧シート５２の幅よりも長い長さに形成されている。緩衝部材２６ｂは、平面視において板状部材２６ａに等しい形状に形成されている。本実施形態１では、緩衝部材２６ｂは、不織布によって構成されている。このような構成により、第１押さえ部材２６は、貼付ロール２３と押圧ロール２４との間において、搬送ユニット１０によって順次搬送される複数の基材５１，…，５１を、化粧シート５２の上方から幅方向の一端から他端まで一体的に非気密状態で押さえ付けるように構成されている。
【００５７】
第１押さえ部材２６は、後端部２６ｒが、前後方向の後方に向かう程、上方に位置する形状に形成されている。本実施形態１では、第１押さえ部材２６は、板状部材２６ａの後端部を上方へ折り曲げ、該板状部材２６ａの下端面に、該下端面に沿うように緩衝部材２６ｂを取り付けることによって、後端部２６ｒが、前後方向の後方に向かう程、上方に位置する形状に形成されている。なお、第１押さえ部材２６の後端部２６ｒは、前後方向の後方に向かう程、上方に位置する形状であれば、湾曲した形状であってもよい。
【００５８】
第２押さえ部材２７は、貼付ロール２３と押圧ロール２４との間において、押圧ロール２４側に設けられ、第１押さえ部材２６を通過した直後の基材５１を、化粧シート５２の上方から押さえ付けるように構成されている。本実施形態１では、第２押さえ部材２７は、押圧ロール２４の設置高さの変更に伴って設置高さが変更されるように、図示しない連結部材を介して押圧ロール２４に連結されている。第２押さえ部材２７は、下端が、押圧ロール２４の下端と略同じ高さに位置付けられるように押圧ロール２４に連結されている。
【００５９】
第２押さえ部材２７は、板状部材２７ａと、該板状部材２７ａの下端面に取り付けられた緩衝部材２７ｂとを有している。板状部材２７ａは、化粧シート５２の幅方向に長い金属板によって構成されている。板状部材２７ａは、化粧シート５２の幅方向において、化粧シート５２の幅よりも長い長さに形成されている。緩衝部材２７ｂは、平面視において板状部材２７ａに等しい形状に形成されている。本実施形態１では、緩衝部材２７ｂは、不織布によって構成されている。このような構成により、第２押さえ部材２７は、貼付ロール２３と押圧ロール２４との間において、搬送ユニット１０によって順次搬送される複数の基材５１，…，５１を、化粧シート５２の上方から幅方向の一端から他端まで一体的に非気密状態で押さえ付けるように構成されている。
【００６０】
第２押さえ部材２７は、後端部２７ｒが、前後方向の後方に向かう程、上方に位置する形状に形成されている。本実施形態１では、第２押さえ部材２７は、板状部材２７ａの後端部を上方へ折り曲げ、該板状部材２７ａの下端面に、該下端面に沿うように緩衝部材２７ｂを取り付けることによって、後端部２７ｒが、前後方向の後方に向かう程、上方に位置する形状に形成されている。なお、第２押さえ部材２７の後端部２７ｒは、前後方向の後方に向かう程、上方に位置する形状であれば、湾曲した形状であってもよい。
【００６１】
このような構成により、貼付ロール２３と押圧ロール２４との間には、化粧シート５２を基材５１に押し付ける押さえ部材２６，２７が２つ設けられている。また、２つの押さえ部材２６，２７は、互いの離間距離（第１押さえ部材２６の前端と第２押さえ部材２７の後端との距離）ｄが、基材５１の間隔Ｄよりも短くなるように近接して設けられている。
【００６２】
また、２つの押さえ部材２６，２７のうちの後側の第１押さえ部材２６は、後端が貼付ロール２３の前半部分と上下方向に重なる程、貼付ロール２３に近接して設けられている。具体的には、第１押さえ部材２６は、後端が、前後方向において、貼付ロール２３の中心軸２３ａと前端２３ｂとの間の第１領域Ａ１内に位置づけられるように設けられている。
【００６３】
一方、２つの押さえ部材２６，２７のうちの前側の第２押さえ部材２７は、前端が押圧ロール２４の後半部分と上下方向に重なる程、押圧ロール２４に近接して設けられている。具体的には、第２押さえ部材２７は、前端が、前後方向において、押圧ロール２４の中心軸２４ａと後端２４ｂとの間の第２領域Ａ２内に位置づけられるように設けられている。
【００６４】
動作の詳細については後述するが、２つの押さえ部材２６，２７をこのように設けることにより、搬送ユニット１０によって順次搬送される複数の基材５１，…，５１は、貼付ロール２３によって表面５１ａに化粧シート５２が貼り付けられた直後から押圧ロール２４によって押圧される直前まで、第１押さえ部材２６と第２押さえ部材２７とによって化粧シート５２の上方から押さえ付けられ続けることとなる。
【００６５】
第３押さえ部材２８は、押圧ロール２４を通過した直後の基材５１を、化粧シート５２の上方から押さえ付けるように構成されている。本実施形態１では、第３押さえ部材２８は、押圧ロール２４の設置高さの変更に伴って設置高さが変更されるように、図示しない連結部材を介して押圧ロール２４に連結されている。第３押さえ部材２８は、下端が、押圧ロール２４の下端と略同じ高さに位置付けられるように押圧ロール２４に連結されている。
【００６６】
第３押さえ部材２８は、第１及び第２押さえ部材２６，２７と同様に、板状部材２８ａと、該板状部材２８ａの下端面に取り付けられた緩衝部材２８ｂとを有している。板状部材２８ａは、化粧シート５２の幅方向に長い金属板によって構成されている。板状部材２８ａは、化粧シート５２の幅方向において、化粧シート５２の幅よりも長い長さに形成されている。緩衝部材２８ｂは、平面視において板状部材２８ａに等しい形状に形成されている。本実施形態１では、緩衝部材２８ｂは、不織布によって構成されている。このような構成により、第３押さえ部材２８は、押圧ロール２４の前側において、搬送ユニット１０によって順次搬送される複数の基材５１，…，５１を、化粧シート５２の上方から幅方向の一端から他端まで一体的に非気密状態で押さえ付けるように構成されている。
【００６７】
また、第３押さえ部材２８は、第１及び第２押さえ部材２６，２７と同様に、後端部２８ｒが、前後方向の後方に向かう程、上方に位置する形状に形成されている。本実施形態１では、第３押さえ部材２８は、板状部材２８ａの後端部を上方へ折り曲げ、該板状部材２８ａの下端面に、該下端面に沿うように緩衝部材２８ｂを取り付けることによって、後端部２８ｒが、前後方向の後方に向かう程、上方に位置する形状に形成されている。なお、第３押さえ部材２８の後端部２８ｒは、前後方向の後方に向かう程、上方に位置する形状であれば、湾曲した形状であってもよい。
【００６８】
さらに、第３押さえ部材２８は、後端が押圧ロール２４の前半部分と上下方向に重なる程、押圧ロール２４に近接して設けられている。具体的には、第３押さえ部材２８は、後端が、前後方向において、押圧ロール２４の中心軸２４ａと前端２４ｃとの間の第３領域Ａ３内に位置づけられるように設けられている。なお、第３押さえ部材２８は、シート切断部３１が後述するシート切断開始位置（最も後方の位置）にあるときに、前端が後述するシート切断部３１の押さえ部材３７の後端と近接する大きさに形成されている。例えば、第３押さえ部材２８は、前後方向において、第３押さえ部材２８の前端とシート切断開始位置におけるシート切断部３１の押さえ部材３７の後端との距離が、第１及び第２押さえ部材２６，２７の離間距離ｄと等しくなるような大きさに形成されている。
【００６９】
〔シート切断ユニット〕
シート切断ユニット３０は、シート切断部３１と、シート押圧部３２と、支持部材３３と、押さえ部材３７とを備えている。
【００７０】
シート切断部３１は、搬送ユニット１０による基材５１の搬送速度と等しい速度で後側から前側へ移動しながら隣接する２つの基材５１，５１間において化粧シート５２を前後に切断する。具体的には、シート切断部３１は、切断機構３１ａと、昇降機構３１ｂと、スライダー３１ｃと、ガイド部材３１ｄと、２本の支柱３１ｅと、土台３１ｆ（移動機構）とを有している。
【００７１】
切断機構３１ａは、刃３１ａ１と、カバー３１ａ２と、モータ３１ａ３とを有している。刃３１ａ１は、本実施形態１では、鋭利な外周縁部によって化粧シート５２を切断可能な円形状の刃物部材によって構成されている。カバー３１ａ２は、前後面が半円の円弧形状に形成され、刃３１ａ１の化粧シート５２の切断に寄与しない上側半分を覆っている。モータ３１ａ３は、刃３１ａ１を回転駆動するように駆動軸が刃３１ａ１の中心部に連結されている。切断機構３１ａは、モータ３１ａ３によって回転駆動される刃３１ａ１が、スライダー３１ｃに伴って化粧シート５２の幅方向に移動することによって、化粧シート５２を前後に切断する。
【００７２】
昇降機構３１ｂは、切断機構３１ａ（本実施形態１では、モータ３１ａ３）に連結され、刃３１ａ１を上下動させるように構成されている。具体的には、本実施形態１では、昇降機構３１ｂは、下端部がモータ３１ａ３に連結されたロッドと、該ロッドを上下動させるモータ（図示省略）とで構成されている。昇降機構３１ｂは、刃３１ａ１を、化粧シート５２から離間した所定の上方位置と、化粧シート５２の切断が可能な所定の下方位置とに移動させるように構成されている。また、昇降機構３１ｂは、化粧シート５２の切断中は、刃３１ａ１を下方位置に位置させ、化粧シート５２の切断後、刃３１ａ１を次の切断箇所まで後退させる際には、上方位置に位置させるように構成されている。
【００７３】
スライダー３１ｃは、昇降機構３１ｂに連結され、刃３１ａを昇降機構３１ｂと共に化粧シート５２の幅方向に移動させるように構成されている。本実施形態１では、スライダー３１ｃは、昇降機構３１ｂのモータを内包し、昇降機構３１ｂのロッドの上端部を収容可能に構成されている。また、スライダー３１ｃは、ガイド部材３１ｄに対してスライド自在に係合する係合部（本実施形態１では、化粧シート５２の幅方向に延びる溝部）を有している。スライダー３１ｃは、図示しないモータによって駆動されて化粧シート５２の幅方向にスライド移動するように構成されている。
【００７４】
ガイド部材３１ｄは、化粧シート５２の幅方向に長い棒状部材によって構成され、スライダー３１ｃがスライド自在に係合する係合部（本実施形態１では、化粧シート５２の幅方向に延びる突条部）を有している。スライダー３１ｃは、ガイド部材３１ｄの前面に沿ってスライド移動することにより、化粧シート５２の幅方向に移動する。
【００７５】
２本の支柱３１ｅは、上下方向に延びる棒状部材によって構成され、土台３１ｆに立設されている。２本の支柱３１ｅは、上端部にガイド部材３１ｄが連結され、ガイド部材３１ｄを支持している。
【００７６】
土台３１ｆは、複数の駆動ローラ１２の上端よりも下方の位置に設けられ、２本の支柱３１ｅと、シート押圧部３２の４つの昇降機構３６とが、土台３１ｆ上に立設されている。土台３１ｆは、刃３１ａ１が、順次後側から前側へ搬送される複数の基材５１の各間に順に配置されて化粧シート５２を前後に切断するように、搬送ユニット１０の搬送速度に合わせて前後方向に移動するように構成されている。
【００７７】
本実施形態１では、土台３１ｆは、所定のシート切断開始位置と、該シート切断開始位置よりも前側の所定のシート切断終了位置との間で往復移動する。シート切断開始位置とシート切断終了位置は、幅方向に並ぶ３本のベルト１１，１１，１１を繰り出す各２つの駆動ローラ１２，１２の間に設定されている。つまり、土台３１ｆは、３本のベルト１１，１１，１１を駆動する各２つの駆動ローラ１２，１２の間で往復移動する。なお、シート切断開始位置とは、前後方向に往復移動するシート切断部３１の最も後方の位置であり、シート切断部３１が、刃３１ａ１がシート接着ユニット２０を通過後の隣接する２つの基材５１，５１間に配されるまで待機する位置である。
【００７８】
具体的には、土台３１ｆは、化粧シート５２の切断前に、シート切断開始位置に移動し、刃３１ａ１が、切断対象となる２つの基材５１，５１間の化粧シート５２に対応するまでシート切断開始位置で待機する。そして、刃３１ａ１が基材５１，５１間に配されると、土台３１ｆは、刃３１ａ１と化粧シート５２との相対位置が変化しないように、基材５１の搬送速度に等しい速度で基材５１の搬送方向（前方）へシート切断終了位置まで移動する。シート切断終了位置に到達すると、土台３１ｆは、シート切断開始位置まで、基材５１の搬送方向と逆向き（後向き）に移動する。
【００７９】
なお、土台３１ｆは、前後方向に移動する際に、３本のベルト１１に干渉しない形状に形成されている。また、土台３１ｆは、２本の支柱３１ｅと、シート押圧部３２の４つの昇降機構３６とが立設可能で、３本のベルト１１に干渉せずに上述のように前後方向に移動するものであれば、いかなる形状であってもよい。
【００８０】
シート押圧部３２は、シート切断部３１が化粧シート５２を切断する際に、該化粧シート５２の切断部分の前後の基材５１，５１の前後に対向する各端部を化粧シート５２の上から押圧するように構成されている。具体的には、シート押圧部３２は、前側押圧部材３４（押圧部材）と、後側押圧部材３５（押圧部材）と、４つの昇降機構３６，…，３６とを有している。
【００８１】
前側押圧部材３４は、搬送ユニット１０の上方に設けられ、シート切断部３１が化粧シート５２を切断する際に、該化粧シート５２の切断部分よりも前側の基材５１の後端部を化粧シート５２の上から押圧するように構成されている。具体的には、前側押圧部材３４は、板状部材３４ａと、該板状部材３４ａの下端面に取り付けられた緩衝部材３４ｂとを有している。板状部材３４ａは、化粧シート５２の幅方向に長い金属板によって構成されている。板状部材３４ａは、化粧シート５２の幅方向において、化粧シート５２の幅よりも長い長さに形成されている。緩衝部材３４ｂは、平面視において板状部材３４ａに等しい形状に形成されている。本実施形態１では、緩衝部材３４ｂは、不織布によって構成されている。詳細については後述するが、緩衝部材３４ｂは、基材５１を化粧シート５２の上から押圧する際に、化粧シート５２と非気密状態で当接する。
【００８２】
後側押圧部材３５は、搬送ユニット１０の上方に設けられ、シート切断部３１が化粧シート５２を切断する際に、該化粧シート５２の切断部分よりも後側の基材５１の前端部を化粧シート５２の上から押圧するように構成されている。具体的には、後側押圧部材３５は、板状部材３５ａと、該板状部材３５ａの下端面に取り付けられた緩衝部材３５ｂとを有している。板状部材３５ａは、化粧シート５２の幅方向に長い金属板によって構成されている。板状部材３５ａは、化粧シート５２の幅方向において、化粧シート５２の幅よりも長い長さに形成されている。緩衝部材３５ｂは、平面視において板状部材３５ａに等しい形状に形成されている。本実施形態１では、緩衝部材３５ｂは、不織布によって構成されている。詳細については後述するが、緩衝部材３５ｂは、基材５１を化粧シート５２の上から押圧する際に、化粧シート５２と非気密状態で当接する。
【００８３】
前側押圧部材３４及び後側押圧部材３５は、前側押圧部材３４の後端と後側押圧部材３５の前端との距離が、搬送ユニット１０によって順次搬送される複数の基材５１，…，５１の前後に隣接する２枚の基材５１，５１間の距離よりも短くなるように設けられている。前側押圧部材３４の後端と後側押圧部材３５の前端との距離は、シート切断部３１による化粧シート５２の切断を阻害しない（実施形態１では、前側押圧部材３４の後端と後側押圧部材３５の前端が刃３１ａ１と干渉しない）程度に狭いのが好ましい。
【００８４】
このような構成により、シート切断部３１が化粧シート５２を切断する際に、前側押圧部材３４は、化粧シート５２の前側の基材５１の後端の前後に亘る部分を上方から押圧し、後側押圧部材３５は、化粧シート５２の後側の基材５１の前端の前後に亘る部分を上方から押圧することとなる。つまり、シート切断部３１が化粧シート５２を切断する際に、前側押圧部材３４及び後側押圧部材３５は、隣接する２枚の基材５１，５１の対向する両端部の端まで化粧シート５２を基材５１に押し付けると共に、両基材５１，５１の端からはみ出した化粧シート５２も下方へ押圧する。このように前側押圧部材３４及び後側押圧部材３５が、隣接する２枚の基材５１，５１の端からはみ出した化粧シート５２を押さえ付けることにより、化粧シート５２の切断中に、化粧シート５２の前後に切断された部分が上方に捲れ上がって基材５１から剥がれてしまうのを抑制することができる。
【００８５】
また、万一、化粧シート５２の切断前に、各基材５１の端部において化粧シート５２の剥がれが生じても、水系接着剤５３が乾く前に前側押圧部材３４と後側押圧部材３５とによって基材５１に押圧されて再度密着することとなる。
【００８６】
４つの昇降機構３６，…，３６は、前側押圧部材３４及び後側押圧部材３５の長手方向の両端部にそれぞれ１つずつ設けられている。４つの昇降機構３６，…，３６は、同時に同じ高さ位置に上下動することにより、前側押圧部材３４及び後側押圧部材３５が化粧シート５２に当接しない上方位置と、前側押圧部材３４及び後側押圧部材３５が基材５１を化粧シート５２の上から押圧する下方位置との間において、前側押圧部材３４及び後側押圧部材３５を上下動させるように構成されている。
【００８７】
具体的には、前側押圧部材３４の長手方向の両端部に設けられた２つの昇降機構３６，３６（前側の昇降機構３６，３６）は、前側押圧部材３４の長手方向の端部にそれぞれ連結され、前側押圧部材３４を、化粧シート５２から離間した化粧シート５２に当接しない上記上方位置と、化粧シート５２に当接して基材５１を化粧シート５２の上から押圧する上記下方位置とに移動させるように構成されている。また、前側の昇降機構３６，３６は、化粧シート５２の切断中は、前側押圧部材３４を下方位置に位置させ、化粧シート５２の切断後、前側押圧部材３４が後退する際には、上方位置に位置させるように構成されている。
【００８８】
後側押圧部材３５の長手方向の両端部に設けられた２つの昇降機構３６，３６（後側の昇降機構３６，３６）は、後側押圧部材３５の長手方向の端部にそれぞれ連結され、後側押圧部材３５を、化粧シート５２から離間した化粧シート５２に当接しない上記上方位置と、化粧シート５２に当接して基材５１を化粧シート５２の上から押圧する上記下方位置とに移動させるように構成されている。また、後側の昇降機構３６，３６は、化粧シート５２の切断中は、後側押圧部材３５を下方位置に位置させ、化粧シート５２の切断後、後側押圧部材３５が後退する際には、上方位置に位置させるように構成されている。
【００８９】
以上のような構成により、４つの昇降機構３６，…，３６は、シート切断部３１が化粧シート５２を切断する際には、前側押圧部材３４及び後側押圧部材３５を下方位置に移動させることにより、化粧シート５２を基材５１，５１の端部に押し付け、土台３１ｆ（移動機構）が後退することによって前側押圧部材３４及び後側押圧部材３５が後退する際には、前側押圧部材３４及び後側押圧部材３５を上方位置に移動させることにより、前側押圧部材３４及び後側押圧部材３５が化粧シート５２に当接しないように構成されている。
【００９０】
支持部材３３は、図１，図５及び図６に示すように、シート切断部３１が化粧シート５２を切断する際に、該化粧シート５２の切断部分よりも前側の基材５１の後端部と後側の前端部とを下方から支持するように構成されている。本実施形態１では、図５及び図６に示すように、支持部材３３は、幅方向に並ぶ３本のベルト１１，１１，１１の各間に設けられ、板状部材によって構成されている。各支持部材３３は、上面の高さが、搬送ユニット１０の幅方向に並ぶ３本のベルト１１，１１，１１の送り部分（搬送方向に進む図１において上側の部分）の上面の高さと略等しくなるように設置されている。また、各支持部材３３は、搬送ユニット１０による搬送方向において、少なくともシート切断開始位置における後側押圧部材３５の後端の位置（図５の左側に二点鎖線で示す後側押圧部材３５の左端）からシート切断終了位置における前側押圧部材３４の前端（図５の右側に二点鎖線で示す前側押圧部材３４の右端）の位置に亘る長さに形成されている。つまり、前側押圧部材３４及び後側押圧部材３５が、シート切断開始位置からシート切断終了位置まで化粧シート５２を基材５１，５１に押し付けながら移動する間、常時、前側押圧部材３４及び後側押圧部材３５と上下方向に対向する前後方向長さに形成されている。
【００９１】
押さえ部材３７は、シート切断部３１が化粧シート５２を切断する際に、シート接着ユニット２０において基材５１の表面５１ａに貼り付けられた化粧シート５２が基材５１から剥がれないように、基材５１を化粧シート５２の上方から押さえ付けるものである。押さえ部材３７は、シート接着ユニット２０の第１〜第３押さえ部材２６〜２８と同様に構成されている。
【００９２】
本実施形態１では、シート切断ユニット３０は、押さえ部材３７を３つ有している。３つの押さえ部材３７は、シート押圧部３２の後方において化粧シート５２の幅方向に間隔を開けて並ぶように設けられている。３つの押さえ部材３７は、シート切断部３１に連結され、該シート切断部３１と共に前後方向に往復移動するように構成されている。
【００９３】
具体的には、３つの押さえ部材３７は、それぞれ吊下部材３８によってガイド部材３１ｄから吊り下げられている。各吊下部材３８は、各押さえ部材３７の下端が化粧シート５２に当接するように各押さえ部材３７を吊り下げている。なお、各吊下部材３８は、各押さえ部材３７の設置高さを変更可能に構成されている。よって、基材５１の厚さに応じて各押さえ部材３７の下端が化粧シート５２に当接するように各押さえ部材３７の設置高さを変更することができる。
【００９４】
各押さえ部材３７は、板状部材３７ａと、該板状部材３７ａの下端面に取り付けられた緩衝部材３７ｂとを有している。板状部材３７ａは、金属板によって構成されている。板状部材３７ａは、本実施形態１では、平面視において略矩形状に形成されている。緩衝部材３７ｂは、平面視において板状部材３７ａに等しい形状に形成されている。本実施形態１では、緩衝部材３７ｂは、不織布によって構成されている。このような構成により、各押さえ部材３７は、シート切断部３１が化粧シート５２を切断する際に、基材５１のシート押圧部３２の後方の部分を、化粧シート５２の上方から非気密状態で押さえ付けるように構成されている。
【００９５】
また、各押さえ部材３７は、第１〜第３押さえ部材２６〜２８と同様に、後端部３７ｒが、前後方向の後方に向かう程、上方に位置する形状に形成されている。本実施形態１では、各押さえ部材３７は、板状部材３７ａの後端部を上方へ折り曲げ、該板状部材３７ａの下端面に、該下端面に沿うように緩衝部材３７ｂを取り付けることによって、後端部３７ｒが、前後方向の後方に向かう程、上方に位置する形状に形成されている。なお、押さえ部材３７の後端部３７ｒは、前後方向の後方に向かう程、上方に位置する形状であれば、湾曲した形状であってもよい。
【００９６】
各押さえ部材３７は、シート切断部３１が切断開始位置（最も後方の位置）にあるときに、後端が第３押さえ部材２８の前端と近接する大きさに形成されている。例えば、各押さえ部材３７は、シート切断ユニット３０がシート切断開始位置にあるときに、各押さえ部材３７の後端と第３押さえ部材２８の前端との距離が、第１及び第２押さえ部材２６，２７の離間距離ｄと等しくなるような大きさに形成されている。
【００９７】
−製造方法−
次に、上記シート化粧板材５０の製造方法について説明する。この製造方法は、（１）接着剤塗布工程と、（２）シート接着工程と、（３）シート切断工程と、（４）平板プレス工程とを有する。なお、以下で説明する工程の順序は、一例にすぎず、本発明に係る製造方法はこれに限られない。
【００９８】
（１）接着剤塗布工程
接着剤塗布工程では、化粧シート５２の裏面に接着剤５３（水系接着剤５３）を塗布する。本実施形態１では、接着剤塗布工程は、ダイコーター２１によって行われる。
【００９９】
具体的には、巻出ロール２２、バックアップロール２１ｅ及び貼付ロール２３を駆動させると共に、ダイコーター２１のポンプ２１ｄを作動させる。これにより、巻出ロール２２からロール状の化粧シート５２が繰り出され、バックアップロール２１ｅ及び貼付ロール２３へ順に送られる。ダイコーター２１では、タンク２１ｂ内に貯留された接着剤５３が、ポンプ２１ｄによってフィルター２１ｃを介してＴダイ２１ａに搬送され、Ｔダイ２１ａの隙間からバックアップロール２１ｅに向かって定量的に吐出される。Ｔダイ２１ａの隙間からバックアップロール２１ｅに向かって吐出された接着剤５３は、バックアップロール２１ｅの外周面において該バックアップロール２１ｅによって貼付ロール２３へ送られる化粧シート５２の裏面に塗布される。このようにして、化粧シート５２の裏面に順次接着剤５３が塗布される。
【０１００】
なお、接着剤５３の塗布量は、例えば、５０ｇ／ｍ２〜１５０ｇ／ｍ２程度（好ましくは、５０ｇ／ｍ２〜１００ｇ／ｍ２）である。接着剤５３の塗布量（膜厚）は、非接触式の膜厚計２５から赤外線を照射して、その接着剤５３に含まれる水分量に基づいて測定される。なお、接着剤５３の塗布量（膜厚）が所定の範囲内に入らない場合には、製造ラインを一旦止め、Ｔダイ２１ａの隙間やポンプ２１ｄの送り量等を確認及び調整する。
【０１０１】
（２）シート接着工程
シート接着工程では、裏面に接着剤５３が塗布された化粧シート５２を、搬送ユニット１０によって所定の間隔で後側から前側へ順次搬送される複数の基材５１，…，５１の表面５１ａ，…，５１ａに亘って供給し、接着する。具体的には、裏面に接着剤５３が塗布された化粧シート５２を、搬送ユニット１０によって順次搬送される複数の基材５１，…，５１の表面５１ａ，…，５１ａに貼付ロール２３で順次送り出すことにより、化粧シート５２が複数の基材５１，…，５１の表面５１ａ，…，５１ａに亘って貼り付けられる。その後、搬送ユニット１０による搬送方向の貼付ロール２３よりも前側に設けられた押圧ロール２４により、化粧シート５２を各基材５１の表面５１ａに押圧する。このようにして、化粧シート５２が各基材５１の表面５１ａに接着される。
【０１０２】
ところで、本実施形態１では、貼付ロール２３と押圧ロール２４との間に、搬送ユニット１０によって順次搬送される複数の基材５１，…，５１を化粧シート５２の上方から押さえ付ける押さえ部材（第１及び第２押さえ部材２６，２７）が設けられている。また、第１及び第２押さえ部材２６，２７は、化粧シート５２の幅方向において化粧シート５２の幅よりも長い長さに形成され、互いの離間距離ｄが基材間隔（基材間の距離Ｄ）よりも短くなるように近接して設けられている。さらに、後側の第１押さえ部材２６は、後端が貼付ロール２３の前半部分と上下方向に重なる程、貼付ロール２３に近接して設けられ、前側の第２押さえ部材２７は、前端が押圧ロール２４の後半部分と上下方向に重なる程、押圧ロール２４に近接して設けられている。
【０１０３】
そのため、本実施形態１では、搬送ユニット１０によって順次搬送される複数の基材５１，…，５１は、貼付ロール２３によって表面５１ａ，５１ａ，５１ａに化粧シート５２が貼り付けられた直後から押圧ロール２４によって押圧される直前まで、第１押さえ部材２６と第２押さえ部材２７とによって化粧シート５２の上方から押さえ付けられ続けることとなる。これにより、貼付ロール２３と押圧ロール２４との間において、基材５１が反るのが抑制され、化粧シート５２が基材５１から剥がれるのが抑制される。
【０１０４】
また、本実施形態１では、押圧ロール２４の前側にも、第１及び第２押さえ部材２６，２７と同様の押さえ部材（第３押さえ部材２８）が設けられ、第３押さえ部材２８は、後端が押圧ロール２４の前半部分と上下方向に重なる程、押圧ロール２４に近接して設けられている。そのため、貼付ロール２３から押圧ロール２４へ向かう基材５１だけでなく、押圧ロール２４通過後も、第３押さえ部材２８によって基材５１が押さえ付けられて反り難くなる。つまり、本実施形態１によれば、押圧ロール２４通過後も化粧シート５２が剥がれ難いものとなる。
【０１０５】
（３）シート切断工程
シート切断工程では、搬送ユニット１０によって後側から前側へ順次搬送される複数の基材５１，…，５１の隣接する各２つの基材５１，５１間において化粧シート５２を前後に切断する。化粧シート５２は、搬送ユニット１０による基材５１の搬送速度と等しい速度で後側から前側へ移動するシート切断ユニット３０のシート切断部３１によって切断される。
【０１０６】
具体的には、図７の上段の図に示すように、シート切断部３１の土台３１ｆ（移動機構）が移動（後退）することにより、シート切断部３１が所定のシート切断開始位置に移動する。シート切断開始位置とは、前後方向に往復移動するシート切断部３１の最も後方の位置である。本実施形態１では、シート切断部３１は、シート切断開始位置において、刃３１ａ１が、シート接着ユニット２０を通過後の隣接する２つの基材５１，５１間に配されるまで待機する。そして、刃３１ａ１が基材５１，５１間に配されると、土台３１ｆ（移動機構）が、搬送ユニット１０による基材５１の搬送速度に等しい速度で移動（前進する）することにより、シート切断部３１は、刃３１ａ１が基材５１，５１間に配された状態のまま、基材５１，５１と共に前進する。
【０１０７】
また、シート切断部３１は、シート切断開始位置に到達すると、刃３１ａ１を昇降機構３１ｂによって上方位置から下方位置に下降させる。具体的には、刃３１ａ１が、下方位置において基材５１，５１間に配されるタイミングで下降させる。これにより、刃３１ａ１が、化粧シート５２を切断可能な位置に配置される。また、これと同時に、シート押圧部３２は、前側押圧部材３４及び後側押圧部材３５を、４つの昇降機構３６，３６，３６，３６によって上方位置から下方位置に下降させる。これにより、化粧シート５２の切断部分よりも前側の基材５１の後端部と化粧シート５２の切断部分よりも後側の基材５１の前端部とが、前側押圧部材３４及び後側押圧部材３５によって化粧シート５２の上から押圧される。
【０１０８】
なお、本実施形態１では、各支持部材３３は、搬送ユニット１０による搬送方向において、少なくともシート切断部３１がシート切断開始位置にある際における後側押圧部材３５の後端の位置からシート切断部３１がシート切断終了位置にある際における前側押圧部材３４の前端の位置に亘る長さに形成されている。そのため、前側押圧部材３４及び後側押圧部材３５が、４つの昇降機構３６，３６，３６，３６によって駆動されて下方位置まで下降すると、化粧シート５２の切断部分よりも前側の基材５１の後端部と化粧シート５２の切断部分よりも後側の基材５１の前端部とが、前側押圧部材３４及び後側押圧部材３５と支持部材３３とによって上下に挟持されることとなる。
【０１０９】
ここで、上述のように、本実施形態１では、シート切断ユニット３０は、シート切断部３１に連動する３つの押さえ部材３７，３７，３７を有している。３つの押さえ部材３７，３７，３７は、シート切断部３１が切断開始位置にあるときに、後端が第３押さえ部材２８の前端と近接する大きさに形成されている。そのため、化粧シート５２の剥がれが生じ易い各基材５１の前後方向の端部は、第３押さえ部材２８を通過後、すぐさまシート切断開始位置で待機中の押さえ部材３７の下方に送られ、該押さえ部材３７によって化粧シート５２の上方から押さえ付けられる。
【０１１０】
このように、化粧シート５２の剥がれが生じ易い各基材５１の端部は、シート接着ユニット２０を通過後、シート押圧部３２によって押圧されるまで、３つの押さえ部材３７，３７，３７によって化粧シート５２の上方から下方へ押さえ付けられる。これにより、化粧シート５２の切断前における化粧シート５２の剥がれが抑制される。また、３つの押さえ部材３７，３７，３７によって各基材５１が反り難くなることによっても化粧シート５２の剥がれが抑制される。
【０１１１】
刃３１ａ１と前側押圧部材３４及び後側押圧部材３５とが下方位置に達すると、シート切断部３１の刃３１ａ１がモータ３１ａ３に回転駆動され、スライダー３１ｃが、図示しないモータによって駆動されることにより、ガイド部材３１ｄに沿って化粧シート５２の幅方向に移動する。これにより、刃３１ａ１が、化粧シート５２を切断可能な位置において、回転しながら化粧シート５２の幅方向の一端側から他端側へ移動することにより、化粧シート５２が前後に切断される。これにより、長尺の化粧シート５２が基材５１毎に個片化される。
【０１１２】
ここで、上述のように、本実施形態１では、化粧シート５２の切断部分の前後の部分は、前側押圧部材３４と後側押圧部材３５とにより、上記切断部分よりも前側の基材５１の後端部と上記切断部分よりも後側の基材５１の前端部とに押圧される。そのため、化粧シート５２の切断時には、刃３１ａ１によって化粧シート５２に作用する力によって化粧シート５２が基材５１から剥がれやすくなるところ、前側押圧部材３４及び後側押圧部材３５によって各基材５１の端部に化粧シート５２が押し付けられることにより、化粧シート５２が各基材５１の端部において剥がれ難くなる。また、前側押圧部材３４及び後側押圧部材３５によって各基材５１が反り難くなることによっても化粧シート５２の剥がれが抑制される。
【０１１３】
図７の下段の図に示すように、シート切断部３１は、シート切断終了位置において化粧シート５２の切断が完了する（刃３１ａ１が化粧シート５２の幅方向の他端に到達する）と、刃３１ａ１の回転を停止し、刃３１ａ１を昇降機構３１ｂによって下方位置から上方位置に上昇させる。これにより、刃３１ａ１が、化粧シート５２に当接しなくなる。なお、シート切断終了位置とは、前後方向に往復移動するシート切断部３１の最も前方の位置である。また、これと同時に、シート押圧部３２は、前側押圧部材３４及び後側押圧部材３５を４つの昇降機構３６，３６，３６，３６によって下方位置から上方位置に上昇させる。これにより、前側押圧部材３４及び後側押圧部材３５が、化粧シート５２に当接しなくなる。
【０１１４】
また、シート切断部３１は、シート切断終了位置に到達すると、土台３１ｆ（移動機構）の移動方向を反転させ、シート切断開始位置（図７の上段の図の位置）まで後退する。そして、シート切断部３１は、シート切断開始位置において、刃３１ａ１が、次の基材５１，５１間に配されるまで待機し、同様の動作により、次の基材５１，５１間において化粧シート５２を切断する。
【０１１５】
（４）平板プレス工程
平板プレス工程では、シート切断工程後に、基材５１毎に個片化された短尺の化粧シート５２が表面に貼り付けられた基材５１を、複数枚積み重ね、その状態で、所定時間、平板プレスする。これにより、各基材５１と化粧シート５２との間において水系接着剤５３が乾燥して硬化し、接着剤層となる。このように各基材５１と化粧シート５２との間において水系接着剤５３を硬化させることにより、各基材５１の表面５１ａに接着剤層を介して化粧シート５２が積層一体化される。なお、複数枚の基材５１を積み重ねる際、上下の基材５１，５１の化粧シート５２，５２が当接するように積み重ねてもよく、上方の基材５１と下方の基材５１の化粧シート５２とが当接するように積み重ねてもよい。
【０１１６】
以上の工程を経過することにより、製造装置１において基材５１の表面５１ａに化粧シート５２が接着されて積層一体化されたシート化粧板材５０が連続的に製造される。
【０１１７】
また、以上のように、本実施形態１では、貼付ロール２３と押圧ロールとの間に第１及び第２押さえ部材２６，２７が設けられ、押圧ロール２４の前側に第３押さえ部材２８が設けられ、シート切断ユニット３０のシート押圧部３２の後方に３つの押さえ部材３７，３７，３７が設けられている。このような構成により、本実施形態１では、各基材５１は、貼付ロール２３によって化粧シート５２が貼り付けられてから、対向する基材５１の端部との間で化粧シート５２の切断が開始されるまでの間、第１〜第３押さえ部材２６〜２８と３つの押さえ部材３７，３７，３７とによって押さえ付けられる。これにより、化粧シート５２が貼り付けられてから化粧シート５２の切断が開始されるまでの間、基材５１が反り難くなり、化粧シート５２が剥がれ難くなる。また、化粧シート５２の切断中は、前後に対向する基材５１，５１の各端部が、シート押圧部３２の各緩衝部材３４ｂ、３５ｂによって化粧シート５２の上方から非気密状態で下向きに押さえ付けられる。これにより、各基材５１の端部において化粧シート５２が剥がれるおそれの高い化粧シート５２の切断時に、化粧シート５２が剥がれ難くなる。
【０１１８】
また、万一、第１〜第３押さえ部材２６〜２８と３つの押さえ部材３７，３７，３７とによって押さえ付けられていない部分において化粧シート５２が剥がれても、化粧シート５２の剥がれた部分の水系接着剤５３が乾く間もなく、次の押さえ部材又はシート押圧部３２の前側押圧部材３４と後側押圧部材３５とによって押し付けられて再度密着することとなる。そのため、本実施形態１のように水系接着剤５３を用いた場合であっても、基材５１の表面５１ａに剥がれなく化粧シート５２を接着することができる。
【０１１９】
−実施形態１の効果−
本実施形態１では、貼付ロール２３と押圧ロール２４との間に、搬送ユニット１０によって順次搬送される複数の基材５１，…，５１を化粧シート５２の上方から押さえ付ける押さえ部材（第１及び第２押さえ部材２６，２７）が設けられている。そのため、搬送ユニット１０によって順次搬送される複数の基材５１，…，５１は、貼付ロール２３と押圧ロール２４との間において、第１及び第２押さえ部材２６，２７によって化粧シート５２の上方から押さえ付けられる。これにより、本実施形態１によれば、貼付ロール２３と押圧ロール２４との間における基材５１の反りを抑制することができるため、隣接する基材５１，５１の端部間で高低差が生じて各基材５１の端部において化粧シート５２が剥がれたり、押圧ロール２４で基材５１を化粧シート５２の上から押圧する際に、基材５１の前端及び後端によって水系接着剤５３が刮ぎ取られたりするおそれがない。従って、本実施形態１によれば、化粧シート５２の剥がれのないシート化粧板材を製造することができる。
【０１２０】
本実施形態１では、第１及び第２押さえ部材２６，２７は、化粧シート５２の幅方向において該化粧シート５２の幅よりも長い長さに形成され、貼付ロール２３と押圧ロール２４との間において、搬送ユニット１０によって順次搬送される複数の基材５１，…，５１を、幅方向の一端から他端まで一体的に押さえ付けるように構成されている。そのため、本実施形態１によれば、化粧シート５２の貼り付け直後に、第１及び第２押さえ部材２６，２７によって基材５１が幅方向の一端から他端まで一体的に押さえ付けられることにより、部分的に押さえ付けられる場合に比べて、基材５１の反りをより抑制することができ、化粧シート５２の剥がれをより抑制することができる。
【０１２１】
本実施形態１では、貼付ロール２３と押圧ロール２４との間に、基材５１を化粧シート５２の上方から押さえ付ける押さえ部材（第１及び第２押さえ部材２６，２７）が２つ設けられている。また、第１及び第２押さえ部材２６，２７は、互いの離間距離ｄが基材間隔Ｄよりも短くなるように近接して設けられている。また、後側の第１押さえ部材２６は、後端が貼付ロール２３の前半部分と上下方向に重なる程、貼付ロール２３に近接して設けられ、前側の第２押さえ部材２７は、前端が押圧ロール２４の後半部分と上下方向に重なる程、押圧ロール２４に近接して設けられている。２つの押さえ部材２６，２７をこのように設けることにより、搬送ユニット１０によって順次搬送される複数の基材５１，…，５１は、貼付ロール２３によって表面に化粧シート５２が貼り付けられた直後から押圧ロール２４によって押圧される直前までの間のほぼずっと、第１押さえ部材２６と第２押さえ部材２７とによって化粧シート５２の上方から押さえ付けられることとなる。このような構成によれば、基材５１の反りをより抑制することができ、化粧シート５２の剥がれをより抑制することができる。
【０１２２】
本実施形態１では、貼付ロール２３と押圧ロール２４が、設置高さを変更可能に構成されると共に、貼付ロール２３の設置高さを変更すると第１押さえ部材２６の設置高さが自動的に変更され、押圧ロール２４の設置高さを変更すると第２押さえ部材２７の設置高さが自動的に変更されるように構成されている。このような構成により、基材５１の厚さに応じて貼付ロール２３と押圧ロール２４の高さを調整するだけで、自動的に第１押さえ部材２６と第２押さえ部材２７の設置高さが基材５１の厚さに応じた高さになる。従って、本実施形態１によれば、容易に第１及び第２押さえ部材２６，２７の高さを基材５１の厚さに応じた高さに変更することができる。
【０１２３】
本実施形態１では、搬送ユニット１０によって順次搬送される複数の基材５１，…，５１を化粧シート５２の上方から押さえ付ける押さえ部材（第３押さえ部材２８）が、押圧ロール２４の前側にも設けられている。また、第３押さえ部材２８は、後端が押圧ロール２４の前半部分と上下方向に重なる程、押圧ロール２４に近接して設けられている。そのため、本実施形態１によれば、押圧ロール２４通過後も、第３押さえ部材２８によって基材５１が押さえ付けられて反り難くなるため、各基材５１における化粧シート５２の剥がれをより抑制することができる。
【０１２４】
ところで、複数の基材５１，…，５１は、搬送ユニット１０によって順次後側から前側へ搬送されるのに対し、化粧シート５２を基材５１に押し付ける押さえ部材（第１〜第３押さえ部材２６〜２８）は、前後方向に移動しない。そのため、第１〜第３押さえ部材２６〜２８の後端部の形状によっては、化粧シート５２に当接する第１〜第３押さえ部材２６〜２８の後端の角部によって化粧シート５２がよれて剥がれるおそれがある。
【０１２５】
これに対し、本実施形態１では、第１〜第３押さえ部材２６〜２８は、後端部が、前後方向の後方に向かう程、上方に位置する形状に形成されているため、第１〜第３押さえ部材２６〜２８の後端の角部が化粧シート５２に当接しない。よって、基材５１の表面５１ａに貼り付けられた化粧シート５２は、第１〜第３押さえ部材２６〜２８の後端の角部によってよれることなく、円滑に第１〜第３押さえ部材２６〜２８の下方に送られて基材５１に押し付けられることとなる。従って、本実施形態１によれば、第１〜第３押さえ部材２６〜２８を設けることによる化粧シート５２のよれを防止することができる。
【０１２６】
ところで、硬度が高い材料で構成された押さえ部材（第１〜第３押さえ部材２６〜２８）を用いると、第１〜第３押さえ部材２６〜２８によって化粧シート５２に線状又は面状の押さ付けた跡が残ったり、化粧シート５２がよれたりするおそれがある。また、押さえ部材（第１〜第３押さえ部材２６〜２８）が化粧シート５２と気密状態で当接する部材で構成されていると、第１〜第３押さえ部材２６〜２８が化粧シート５２に密着して化粧シート５２を剥がしてしまうおそれがある。
【０１２７】
本実施形態１では、第１〜第３押さえ部材２６〜２８が、板状部材２６ａ〜２８ａと該板状部材２６ａ〜２８ａの下端面に取り付けられた緩衝部材２６ｂ〜２８ｂとで構成されている。このように第１〜第３押さえ部材２６〜２８の下部を緩衝部材２６ｂ〜２８ｂで構成することにより、第１〜第３押さえ部材２６〜２８によって化粧シート５２に線状又は面状の押さ付けた跡が残ったり、化粧シート５２がよれたりしない。また、本実施形態１では、緩衝部材２６ｂ〜２８ｂは、化粧シート５２と非気密状態で当接する部材で構成されている。そのため、第１〜第３押さえ部材２６〜２８が化粧シート５２に密着せず、化粧シート５２が剥がれることがない。従って、本実施形態１によれば、化粧シート５２に押さ付けた跡やよれを生じさせることなく、また、化粧シート５２を剥がれさせることなく基材５１に押し付けることができる。
【０１２８】
本実施形態１では、緩衝部材２６ｂ〜２８ｂは、不織布によって形成されている。このような構成により、本実施形態１によれば、化粧シート５２と非気密状態で当接する緩衝部材２６ｂ〜２８ｂを容易に構成することができる。
【０１２９】
ところで、化粧シート５２の切断時には、化粧シート５２に刃３１ａ１による圧力が作用するため、各基材５１の端部において化粧シート５２が剥がれ易くなる。
【０１３０】
これに対し、本実施形態１では、製造装置１が、化粧シート５２の切断時に、該化粧シート５２の切断部分の前後の基材５１，５１の端部を化粧シート５２の上から押圧する前側押圧部材３４及び後側押圧部材３５を有するシート押圧部３２を備えている。そのため、本実施形態１では、シート接着ユニット２０において複数の基材５１，…，５１の表面５１ａ，…，５１ａに亘って化粧シート５２が接着された後、シート切断部３１によって隣接する２枚の基材５１，５１間において化粧シート５２を切断する際に、化粧シート５２の切断部分の前後の部分が、シート押圧部３２の前側押圧部材３４と後側押圧部材３５とによって基材５１に押圧される。そのため、各基材５１の端部において化粧シート５２が剥がれるおそれの高い化粧シート５２の切断時に、化粧シート５２が剥がれ難くなる。従って、本実施形態１によれば、化粧シート５２が基材５１から剥がれるおそれの高い化粧シート５２の切断時においても、化粧シート５２の剥がれを抑制することができる。
【０１３１】
また、本実施形態１では、前側押圧部材３４及び後側押圧部材３５は、搬送ユニット１０による基材５１の搬送に合わせて移動機構（土台３１ｆ）によって前後方向に移動させられ、隣接する各２枚の基材５１，５１間において化粧シート５２を切断する際に、前側の基材５１の後端部及び後側の基材５１の前端部を押圧可能な位置に配置される。そのため、化粧シート５２の切断後、前側押圧部材３４及び後側押圧部材３５は、基材５１の搬送方向と逆方向に移動して次の基材５１，５１間に移動することとなる。その際、前側押圧部材３４及び後側押圧部材３５は、昇降機構３６，３６によって上方位置に移動させられ、化粧シート５２に当接しない。よって、本実施形態１によれば、前側押圧部材３４及び後側押圧部材３５が、基材５１の搬送方向と逆方向に移動（後退）する際に、化粧シート５２が剥がれるのを抑制することができる。
【０１３２】
また、本実施形態１では、前側押圧部材３４及び後側押圧部材３５が、化粧シート５２を前側の基材５１の後端部及び後側の基材５１の前端部に押圧する際に、前側の基材５１の後端部及び後側の基材５１の前端部を下方から支持する支持部材３３が設けられている。そのため、例えば、基材５１がベルトコンベア等で搬送される場合であっても、前側押圧部材３４及び後側押圧部材３５が化粧シート５２を基材５１に押圧する際に、基材５１が沈み込むことなく、支持部材３３によって下方から支持されることとなる。よって、本実施形態１によれば、化粧シート５２を確実に基材に押し付けることができる。
【０１３３】
さらに、本実施形態１では、前側押圧部材３４及び後側押圧部材３５の下端部が、化粧シート５２と非気密状態で当接する緩衝部材３４ｂ，３５ｂで構成されている。そのため、前側押圧部材３４及び後側押圧部材３５は、化粧シート５２の切断時に、化粧シート５２と非気密状態で当接するため、化粧シート５２から離れる際に、化粧シート５２を基材５１から剥がしてしまうことがない。よって、本実施形態１によれば、化粧シート５２の切断後の前側押圧部材３４及び後側押圧部材３５による化粧シート５２の剥がれを抑制することができる。
【０１３４】
《発明の実施形態２》
実施形態２は、実施形態１のシート化粧板材の製造装置１の一部の構成を変更したものである。なお、以下では、実施形態１と異なる構成についてのみ詳述する。
【０１３５】
図８に示すように、実施形態２では、実施形態１のシート化粧板材の製造装置１において貼付ロール２３と押圧ロール２４との間に２つ設けられていた押さえ部材（第１及び第２押さえ部材２６，２７）が、１つの押さえ部材２９で構成されている。
【０１３６】
押さえ部材２９は、前後方向において貼付ロール２３と押圧ロール２４の離間距離（貼付ロール２３の前端２３ｂと押圧ロール２４の後端２４ｂとの距離）よりも長い長さに形成されている。また、押さえ部材２９は、後端が貼付ロール２３の前半部分と上下方向に重なる程、貼付ロール２３に近接して設けられると共に、前端が押圧ロール２４の後半部分と上下方向に重なる程、押圧ロール２４に近接して設けられている。具体的には、押さえ部材２９は、後端が、前後方向において、貼付ロール２３の中心軸２３ａと前端２３ｂとの間の第１領域Ａ１内に位置づけられると共に、後端が、前後方向において、押圧ロール２４の中心軸２４ａと後端２４ｂとの間の第２領域Ａ２内に位置づけられるように設けられている。
【０１３７】
押さえ部材２９は、板状部材２９ａと、該板状部材２９ａの下端面に取り付けられた緩衝部材２９ｂとを有している。板状部材２９ａは、化粧シート５２の幅方向に長い金属板によって構成されている。板状部材２９ａは、化粧シート５２の幅方向において、化粧シート５２の幅よりも長い長さに形成されている。緩衝部材２９ｂは、平面視において板状部材２９ａに等しい形状に形成されている。本実施形態２では、緩衝部材２９ｂは、不織布によって構成されている。このような構成により、押さえ部材２９は、貼付ロール２３と押圧ロール２４との間において、搬送ユニット１０によって順次搬送される複数の基材５１，…，５１を、化粧シート５２の上方から幅方向の一端から他端まで一体的に非気密状態で押さえ付けるように構成されている。
【０１３８】
押さえ部材２９は、後端部２９ｒが、前後方向の後方に向かう程、上方に位置する形状に形成されている。本実施形態２では、押さえ部材２９は、板状部材２９ａの後端部を上方へ折り曲げ、該板状部材２９ａの下端面に、該下端面に沿うように緩衝部材２９ｂを取り付けることによって、後端部２９ｒが、前後方向の後方に向かう程、上方に位置する形状に形成されている。なお、押さえ部材２９の後端部２９ｒは、前後方向の後方に向かう程、上方に位置する形状であれば、湾曲した形状であってもよい。
【０１３９】
また、実施形態２では、貼付ロール２３と押圧ロール２４とが、設置高さを変更可能に構成されると共に、１回の高さ調節作業により、貼付ロール２３の設置高さと押圧ロール２４の設置高さの両方を変更できるように、図示しない連結部材を介して貼付ロール２３と押圧ロール２４とが連結されている。貼付ロール２３及び押圧ロール２４は、それぞれの下端が略同じ高さに位置付けられるように連結されている。
【０１４０】
そして、実施形態２では、押さえ部材２９は、貼付ロール２３及び押圧ロール２４の設置高さの変更に伴って設置高さが変更されるように、図示しない連結部材を介して貼付ロール２３及び押圧ロール２４に連結されている。押さえ部材２９は、下端が、貼付ロール２３及び押圧ロール２４の下端と略同じ高さに位置付けられるように貼付ロール２３及び押圧ロール２４に連結されている。
【０１４１】
以上の構成により、実施形態２によっても、実施形態１と同様の効果を奏することができる。
【０１４２】
また、実施形態２によれば、実施形態１において２つ設けていた押さえ部材（第１及び第２押さえ部材２６，２７）を１つの押さえ部材２９で構成している。また、押さえ部材２９は、前後方向において貼付ロール２３と押圧ロール２４の離間距離よりも長い長さに形成され、後端が貼付ロール２３の前半部分と上下方向に重なる程、貼付ロール２３に近接して設けられ、前端が押圧ロール２４の後半部分と上下方向に重なる程、押圧ロール２４に近接して設けられている。貼付ロール２３と押圧ロール２４との間に設けられた押さえ部材２９をこのように構成することにより、搬送ユニット１０によって順次搬送される複数の基材５１，…，５１は、貼付ロール２３によって表面５１ａに化粧シート５２が貼り付けられた直後から押圧ロール２４によって押圧される直前までの間、絶え間なく押さえ部材２９によって化粧シート５２の上方から押さえ付けられることとなる。このような構成によれば、基材５１の反りをより抑制することができるため、化粧シート５２の剥がれをより確実に抑制することができる。
【０１４３】
《発明の実施形態３》
実施形態３は、実施形態１のシート化粧板材の製造装置１の一部の構成を変更したものである。なお、以下では、実施形態１と異なる構成についてのみ詳述する。
【０１４４】
図９に示すように、実施形態３では、実施形態１のシート化粧板材の製造装置１において、貼付ロール２３の後側に、第４押さえ部材４０（基材押さえ部材）がさらに設けられている。
【０１４５】
第４押さえ部材４０は、貼付ロール２３において化粧シート５２が貼り付けられる前の基材５１を、下方に押さえ付けるように構成されている。本実施形態３では、第４押さえ部材４０は、貼付ロール２３の設置高さの変更に伴って設置高さが変更されるように、図示しない連結部材を介して貼付ロール２３に連結されている。第４押さえ部材４０は、搬送ユニット１０によって搬送される基材５１の表面５１ａを下方に押さえ付けることができる高さに位置付けられるように貼付ロール２３に連結されている。
【０１４６】
第４押さえ部材４０は、第１〜第３押さえ部材２６〜２８と同様に、板状部材４０ａと、該板状部材４０ａの下端面に取り付けられた緩衝部材４０ｂとを有している。板状部材４０ａは、基材５１の幅方向に長い金属板によって構成されている。板状部材４０ａは、基材５１の幅方向において、基材５１の幅よりも長い長さに形成されている。緩衝部材４０ｂは、平面視において板状部材４０ａに等しい形状に形成されている。本実施形態３では、緩衝部材４０ｂは、不織布によって構成されている。このような構成により、第４押さえ部材４０は、貼付ロール２３の後側において、搬送ユニット１０によって順次搬送される複数の基材５１，…，５１を、幅方向の一端から他端まで一体的に非気密状態で押さえ付けるように構成されている。
【０１４７】
また、第４押さえ部材４０は、第１〜第３押さえ部材２６〜２８と同様に、後端部４０ｒが、前後方向の後方に向かう程、上方に位置する形状に形成されている。本実施形態３では、第４押さえ部材４０は、板状部材４０ａの後端部を上方へ折り曲げ、該板状部材４０ａの下端面に、該下端面に沿うように緩衝部材４０ｂを取り付けることによって、後端部４０ｒが、前後方向の後方に向かう程、上方に位置する形状に形成されている。なお、第４押さえ部材４０の後端部４０ｒは、前後方向の後方に向かう程、上方に位置する形状であれば、湾曲した形状であってもよい。
【０１４８】
さらに、第４押さえ部材４０は、前端が貼付ロール２３の後半部分と上下方向に重なる程、貼付ロール２３に近接して設けられている。具体的には、第４押さえ部材４０は、前端が、前後方向において、貼付ロール２３の中心軸２３ａと後端２３ｃとの間の第４領域Ａ４内に位置づけられるように設けられている。
【０１４９】
以上のように、本実施形態３では、貼付ロール２３の後側に、貼付ロール２３に近接して第４押さえ部材４０が設けられている。その他の構成は、実施形態１と同様である。
【０１５０】
ところで、搬送ユニット１０によって順次搬送される複数の基材５１，…，５１の中には、貼付ロール２３において化粧シート５２が貼り付けられる前に多少の反りが生じているものがある。そのような反りが生じた基材５１が、そのまま貼付ロール２３の下方に搬送されると、本来は、貼付ロール２３の最下点において化粧シート５２が基材５１の表面５１ａに貼り付けられるところ、基材５１の浮き上がった前端が、貼付ロール２３に接触し、化粧シート５２の裏面に塗布された水系接着剤５３の膜厚が不均一になって貼り付けられた化粧シート５２が部分的に剥がれ易くなったり、化粧シート５２がよれて貼り付けられたりするおそれがある。
【０１５１】
これに対し、実施形態３では、貼付ロール２３の後側の貼付ロール２３の近傍に、基材５１を下方に押さえ付ける第４押さえ部材４０を設け、反りが生じた基材５１の浮き上がった前端を、貼付ロール２３の下方に搬送される前に、第４押さえ部材４０によって下方に押さえ付けることにより、基材５１の前端が貼付ロール２３に接触しないようにしている。このような構成により、反りが生じた基材５１であっても、第４押さえ部材４０によって反りが補正された状態で貼付ロール２３の下方に搬送されて化粧シート５２が貼り付けられる。よって、実施形態３によれば、反りが生じた基材５１に対しても、化粧シート５２の裏面に塗布された水系接着剤５３の膜厚が不均一になって貼り付けられた化粧シート５２が部分的に剥がれ易くなったり、化粧シート５２がよれて貼り付けられたりすることなく、表面５１ａに化粧シート５２を貼り付けることができる。
【０１５２】
《その他の実施形態》
上記各実施形態では、押圧ロール２４の前側にも押さえ部材（第３押さえ部材２８）を設けていたが、シート切断開始位置（図７の上段のシート切断部３１の位置）が、押圧ロール２４に近接し、押圧ロール２４通過後の基材５１がすぐに押さえ部材３７によって化粧シート５２の上方から押さえ付けられる構成であれば、第３押さえ部材２８は省略してもよい。
【０１５３】
また、上記各実施形態では、シート切断ユニット３０は、シート押圧部３２とは別に、昇降しない押さえ部材３７を有していたが、押さえ部材３７を省略し、後側押圧部材３５を、押さえ部材３７分だけ前後方向に長く形成してもよい。
【０１５４】
また、上記各実施形態では、押圧ロール２４は、１つのみ設けられていたが、押圧ロール２４は、複数設けられていてもよい。その場合、複数のロール２４，…，２４の各間にも、第１〜第３押さえ部材２６〜２８と同様に構成された押さえ部材を設けることが好ましい。
【０１５５】
また、上記各実施形態では、シート押圧部３２は、シート切断部３１の土台３１ｆ上に設けられ、土台３１ｆによってシート切断部３１と共に前後方向に移動するように構成されていたが、シート押圧部３２は、シート切断部３１とは別に前後方向に移動するための移動機構を有していてもよい。その場合においても、シート押圧部３２は、シート切断部３１の動作と同様に動作するように構成すればよい。
【０１５６】
また、上記各実施形態では、各支持部材３３は、設置位置が固定され、前側押圧部材３４及び後側押圧部材３５が、シート切断開始位置からシート切断終了位置まで化粧シート５２を基材５１，５１に押し付けながら移動する間、常時、前側押圧部材３４及び後側押圧部材３５と上下方向に対向する前後方向長さに形成されていた。しかしながら、各支持部材３３は、上記実施形態１のものに限られない。各支持部材３３は、シート切断部３１の土台３１ｆ上に設けられ、土台３１ｆによってシート切断部３１と共に前後方向に移動するように構成されていてもよい。また、各支持部材３３は、シート切断部３１とは別に前後方向に移動するための移動機構を有し、シート切断部３１と同様に前後方向に移動するものであってもよい。このように各支持部材３３が、シート切断部３１と同様に前後方向に移動可能な構成の場合、各支持部材３３は、前後方向の長さが、少なくとも静止時における前側押圧部材３４の前端から後側押圧部材３５の後端までの長さ分だけ確保できればよいため、前後方向の長さを実施形態１よりも短く形成することができる。
【０１５７】
また、各支持部材３３を、前側押圧部材３４及び後側押圧部材３５を前後方向に移動させる土台３１ｆ（移動機構）に連結する構成の場合、支持部材３３は、前側押圧部材３４及び後側押圧部材３５と共に前後方向に移動する。つまり、支持部材３３は、前側押圧部材３４及び後側押圧部材３５と共に、搬送ユニット１０によって搬送される基材５１を上下方向に挟み込んだ状態で基材５１の搬送方向に移動することとなる。よって、このような形態によれば、実施形態１のように、支持部材３３の位置が固定されている場合、搬送ユニット１０によって搬送される基材５１に支持部材３３との摩擦によって搬送方向と逆方向に力が作用するところ、支持部材３３が基材５１の搬送方向に移動することにより、このような摩擦力が作用しないため、基材５１の搬送が阻害されない。
【０１５８】
また、上記各実施形態では、シート切断部３１は、切断機構３１ａと、昇降機構３１ｂと、スライダー３１ｃと、ガイド部材３１ｄと、２本の支柱３１ｅと、土台３１ｆ（移動機構）とを有していたが、シート切断部３１の構成は、上記実施形態１の構成に限られない。シート切断部３１は、搬送ユニット１０による基材５１の搬送速度と等しい速度で後側から前側へ移動しながら隣接する２枚の基材５１，５１間において化粧シート５２を前後に切断可能な構成であれば、いかなる構成であってもよい。シート切断部３１は、例えば、刃３１ａ１を有さず、レーザによって化粧シート５２を切断するものであってもよい。
【０１５９】
また、上記各実施形態では、切断機構３１ａは、化粧シート５２の幅方向に移動する円形状の刃物部材からなる刃３１ａ１を有するように構成されていたが、切断機構３１ａは、化粧シート５２を切断可能なものであればいかなるものであってもよい。例えば、切断機構３１ａは、化粧シート５２の幅方向の一端から他端まで延びる幅方向に長い刃物部材からなる刃を有し、上方位置から下方位置に移動することによって１回的に化粧シート５２を切断するものであってもよい。
【０１６０】
また、上記各実施形態では、各押さえ部材２６〜２９，３７，４０及び各押圧部材３４，３５の緩衝部材２６ｂ〜２９ｂ，３４ｂ，３５ｂ，３７ｂ，４０ｂは、不織布によって形成されていたが、本発明に係る緩衝部材２６ｂ〜２９ｂ，３４ｂ，３５ｂ，３７ｂ，４０ｂは、不織布に限られない。緩衝部材２６ｂ〜２９ｂ，３４ｂ，３５ｂ，３７ｂ，４０ｂは、連続気泡の発泡体やフェルト等、各押さえ部材２６〜２９，３７，４０及び各押圧部材３４，３５が、基材５１を化粧シート５２の上方から押さえ付ける又は押圧する際に、化粧シート５２と非気密状態で当接して板状部材２６ａ〜２９ａ，３４ａ，３５ａ，３７ａ，４０ａと化粧シート５２との間で圧縮されて変形するように構成されるものであればいかなるもので構成されていてもよい。
【０１６１】
また、上記各実施形態では、化粧シート５２の裏面に接着剤５３を塗布する塗布装置としてダイコーター２１を例示したが、塗布装置は、ナイフコーターやコンマコーター等であってもよい。なお、塗布装置としてナイフコーターやコンマコーターを用いた場合には、容積式以外のポンプを用いてもよい。
【０１６２】
また、上記実施形態３では、実施形態１のシート化粧板材の製造装置１に第４押さえ部材４０を設けた例について説明したが、第４押さえ部材４０は、実施形態１のシート化粧板材の製造装置１だけでなく、実施形態２及び実施形態１，２の変形例に対しても適用することができる。
【産業上の利用可能性】
【０１６３】
本発明は、複数の基材の表面に連続的に化粧シートを接着するシート化粧板材の製造装置に有用である。
【符号の説明】
【０１６４】
１              製造装置
１０              搬送ユニット（搬送部）
２０              シート接着ユニット（シート接着部）
２３              貼付ロール
２３ａ            中心軸
２３ｂ            前端
２４              押圧ロール
２４ａ            中心軸
２４ｂ            後端
２４ｃ            前端
２６              第１押さえ部材（押さえ部材）
２７              第２押さえ部材（押さえ部材）
２８              第３押さえ部材（押さえ部材）
２６ａ〜２８ａ    板状部材
２６ｂ〜２８ｂ    緩衝部材
２６ｒ〜２８ｒ    後端部
３１              シート切断部
３１ｂ            昇降機構
３１ｆ            土台（移動機構）
３２              シート押圧部
３３              支持部材
３４              前側押圧部材
３５              後側押圧部材
３４ａ，３５ａ    板状部材
３４ｂ，３５ｂ    緩衝部材
３６              昇降機構
５０              シート化粧板材
５１              基材
５１ａ            表面
５２              化粧シート
５３              接着剤（水系接着剤）
【要約】
【課題】化粧シートの剥がれのないシート化粧板材を製造する。
【解決手段】製造装置１は、複数の基材５１，…，５１を所定の間隔で後側から前側へ搬送する搬送ユニット１０と、貼付ロール２３と押圧ロール２４とを有し、搬送ユニット１０によって順次搬送される複数の基材５１，…，５１の表面５１ａ，…，５１ａに亘り、化粧シート５２を水系接着剤５３で接着するシート接着ユニット２０と、基材５１の搬送速度と等しい速度で後側から前側へ移動しながら隣接する２枚の基材５１，５１間において化粧シート５２を前後に切断するシート切断部３１とを備えている。貼付ロール２３と押圧ロール２４との間に、順次搬送される複数の基材５１，…，５１を化粧シート５２の上方から押さえ付ける押さえ部材２６，２７を設ける。
【選択図】図１【図１】
0006817478.tif 000002
【図２】
0006817478.tif 000003
【図３】
0006817478.tif 000004
【図４】
0006817478.tif 000005
【図５】
0006817478.tif 000006
【図６】
0006817478.tif 000007
【図７】
0006817478.tif 000008
【図８】
0006817478.tif 000009
【図９】
0006817478.tif 000010